(57)【要約】【課題】特典の内容が異なる複数種の賞に関わる抽選処理の結果を画像表示部に表示された物体の画像の組み合わせから直感的かつ即座に判断し得るようにする。【解決手段】特典の内容が異なる２種類の賞に当選可能な抽選処理を実行し、賞の種類毎に分類された図柄が施された３個の缶の画像２０Ａ，２０Ｂ，２０Ｃを画像表示部１０に変動状態で次々に表示させた後、いずれかの３個の缶の画像２０Ａ，２０Ｂ，２０Ｃを画像表示部１０に停止状態で表示させることにより、抽選処理の結果を遊技者に報知する。前記抽選処理によっていずれかの賞に当選したとき、前記変動状態の表示を行った後に、当選した賞の種類に分類されている図柄の缶の画像に、賞の種類毎に態様が異なる缶の蓋の画像２４を付加した画像を画像表示部１０に停止状態で表示する。【選択図】図２
2007275499.tif 000002
【特許請求の範囲】
【請求項１】
賞に関わる抽選処理の結果を複数個の物体の画像の組み合わせにより表示する画像表示部を備えた遊技機であって、
特典の内容が異なる複数種の賞に当選可能な抽選処理を実行する抽選手段と、
同一形態でありかつ賞の種類毎に分類された図柄が付された複数個の物体の画像の組み合わせを前記画像表示部に変動状態で表示させた後、いずれかの物体の画像の組み合わせを前記画像表示部に停止状態で表示させるための画像データが記憶される記憶手段と、
前記抽選手段による抽選処理によりいずれかの賞に当選したとき、前記記憶手段に記憶された画像データによって前記画像表示部に前記物体の画像の組み合わせを変動状態で表示させた後、当選した賞の種類に分類されている図柄の物体の画像の所定の組み合わせを前記画像表示部に停止状態で表示させる制御手段とを備えており、
前記記憶手段には、少なくとも停止状態で表示する前記の各物体の画像に、各物体の一部分を構成しかつ賞の種類毎に態様が異なる物体部分の画像を付加したものを前記画像表示部に表示させるための画像データを記憶させておき、
前記制御手段は、前記抽選手段による抽選処理によっていずれかの賞に当選したとき、前記変動状態の表示の後に、当選した賞の種類に分類されている図柄の物体の画像に前記物体部分の画像を付加した画像の組み合わせを前記画像表示部に停止状態で表示させるようにした遊技機。
【請求項２】
前記物体の画像は、賞の種類に応じて大きさの異なる数字が外周面に表された軸回転が可能な物体の画像である請求項１に記載された遊技機。
【発明の詳細な説明】
【技術分野】
【０００１】
この発明は、画像表示部を有するパチンコ機のような遊技機に関し、特にこの発明は、賞に関わる抽選処理の結果を、複数個の物体の画像の組み合わせを画像表示部に表示することによって、遊技者に報知するようにした遊技機に関する。
【背景技術】
【０００２】
近年のパチンコ機では、遊技盤の盤面中央に液晶などの画像表示部が設けられている。前記画像表示部に賞に関わる画像を表示して抽選処理の結果を遊技者へ報知したり、各種の演出を行ったりしている。遊技盤の盤面適所には始動入賞口が設けられており、この始動入賞口にパチンコ球が入ると、機械内部で賞に関わる抽選処理が実行される。この抽選結果は前記画像表示部に複数個の物体や数字の画像の組み合わせによって表示されている。
【０００３】
典型的なパチンコ機では、前記画像表示部に３個の数字の画像をそれぞれ変動状態で個別に表示した後、前記抽選処理により賞に当選したときは、例えば、数字「７」の画像を３個並んだ停止状態で表示する。この賞の成立によって盤面に設けられた大入賞口が開放され、口が大きく開いた大入賞口に多数個のパチンコ球が連続して入るようになる。
【０００４】
機種によっては、特典の内容が異なる複数種の賞が設定されており、その場合、前記抽選処理は複数種の賞について実行される。先般、複数種の賞として、例えば、次回の賞が成立する確率が高確率に変動する特別の賞と、そのような確率の変動を伴わない通常の賞とを設けたものが提案され（例えば、特許文献１参照。）、特別の賞に当選したときと、通常の賞に当選したときとでは、異なる組み合わせ図柄を出現させている。
【０００５】
【特許文献１】特開２００２−１４３４４９号公報
【０００６】
最近の機種の中に、画像表示部に表示させる画像として、種々のキャラクタと前記数字とが表された３個の缶の画像の組み合わせを変動状態で表示させ、前記特別の賞に当選したときは、同じ奇数（例えば「７」）が表された缶の画像を３個並んだ停止状態で表示させ、前記通常の賞に当選したときは、同じ偶数（例えば「２」）が表された缶の画像を３個並んだ停止状態で表示させている。
【発明の開示】
【発明が解決しようとする課題】
【０００７】
しかしながら、たとえ数字が違っていても、各缶の形態が同一であるので、同じ数字が表された缶の画像が３個並んだ状態では、特別の賞が成立したのか、通常の賞が成立したのかの区別がつきにくく、特に初心者は、成立した賞を直感的に判別することが困難である。
【０００８】
この発明は、上記の問題に着目してなされたもので、特典の内容が異なる複数種の賞に関わる抽選処理の結果を画像表示部に表示された物体の画像の組み合わせから直感的かつ即座に判断し得る遊技機を提供することを目的とする。
【課題を解決するための手段】
【０００９】
この発明による遊技機は、賞に関わる抽選処理の結果を複数個の物体の画像の組み合わせにより表示する画像表示部を備えており、特典の内容が異なる複数種の賞に当選可能な抽選処理を実行する抽選手段と、同一形態でありかつ賞の種類毎に分類された図柄が付された複数個の物体の画像の組み合わせを前記画像表示部に変動状態で表示させた後、いずれかの物体の画像の組み合わせを前記画像表示部に停止状態で表示させるための画像データが記憶される記憶手段と、前記抽選手段による抽選処理によりいずれかの賞に当選したとき、前記記憶手段に記憶された画像データによって前記画像表示部に前記物体の画像の組み合わせを変動状態で表示させた後、当選した賞の種類に分類されている図柄の物体の画像の所定の組み合わせを前記画像表示部に停止状態で表示させる制御手段とを備えている。
前記記憶手段には、少なくとも停止状態で表示する前記の各物体の画像に、各物体の一部分を構成しかつ賞の種類毎に態様が異なる物体部分の画像を付加したものを前記画像表示部に表示させるための画像データを記憶させておき、前記制御手段は、前記抽選手段による抽選処理によっていずれかの賞に当選したとき、前記変動状態の表示の後に、当選した賞の種類に分類されている図柄の物体の画像に前記物体部分の画像を付加した画像の組み合わせを前記画像表示部に停止状態で表示させるようにする。
【００１０】
上記した構成の遊技機において、抽選手段による抽選処理によって特典の内容が異なる複数種の賞のうちのいずれかの賞に当選すると、制御手段は、記憶手段に記憶された画像データによって画像表示部に物体の画像の組み合わせを変動状態で表示させた後、当選した賞の種類に分類されている図柄の物体の画像の所定の組み合わせを画像表示部に停止状態で表示させる。この場合、前記物体の画像に賞の種類毎に態様が異なる物体部分の画像を付加した画像の組み合わせを画像表示部に停止状態で表示させるので、遊技者は前記物体部分の画像を見て抽選処理の結果を直感的かつ即座に判断することができる。
【００１１】
この発明の上記した構成において、「画像表示部」は、一般的には液晶やＣＲＴによって構成される。また、「特典の内容が異なる複数種の賞」として、例えばパチンコ機であれば、大入賞口が開放される回数（一般に「ラウンド数」と呼ばれる。）が多数回（例えば１５回）である賞と少数回（例えば２回）である賞との２種類の賞や、次回の賞が成立する確率が高確率に変動する賞と、そのような確率の変動を伴わない賞との２種類の賞などが考えられるが、賞の種類は、必ずしも２種類である必要はなく、それ以上であってもよい。
また、「抽選手段」、「記憶手段」、および「制御手段」は、プログラムされたコンピュータによって実現されるが、専用のハードウェア回路によっても実現することが可能である。
【００１２】
この発明の好ましい一実施態様では、前記物体の画像は、賞の種類に応じて大きさの異なる数字が外周面に表された軸回転が可能な物体の画像である。ここで、軸回転が可能な物体とは、例えば、缶、樽、びんなどの筒状体が好例である。
【発明の効果】
【００１３】
この発明によれば、遊技者は、特典の内容が異なる複数種の賞に関わる抽選処理の結果を、画像表示部に表示された物体の画像の組み合わせから直感的かつ即座に判断することができる。
【発明を実施するための最良の形態】
【００１４】
図１は、この発明の一実施例であるパチンコ機の全体構成を示している。なお、この発明は、賞に関わる抽選処理の結果を画像によって表示することが可能な画像表示部を有するものであれば、パチンコ機以外の遊技機にも適用できる。
【００１５】
図示例のパチンコ機は、本体部１の前面に、円形の遊技領域を有する遊技盤２が設けられている。遊技盤２上は透明のガラス板６で覆われ、遊技盤２の下方には、上皿３，下皿４、およびパチンコ球の発射ハンドル５が設けられている。上皿３の内部はパチンコ球の取込口と賞球の放出口とに連通し、下皿４の内部は賞球の放出口７に連通している。上皿３が満杯になると、下皿４の放出口７から賞球が放出される。なお、上皿３の両側にはスピーカー８，８が配置されている。
【００１６】
前記遊技盤２の盤面には、図２に示すように、右下方位置に７セグメントＬＥＤより成る数字表示部９が、中央位置に液晶より成る画像表示部１０が、それぞれ配置されている。画像表示部１０の下方には、上下２段構成の始動入賞口１１，１２が、その下方には大入賞口１３が、その下方にはアウト口１４が、それぞれ設けられている。前記下段の始動入賞口１２は平時は閉じ、ゲート１５をパチンコ球が通過したときなどに開く。
【００１７】
前記数字表示部９および画像表示部１０は、特典の内容が異なる２種類の賞に関わる抽選処理の結果を遊技者に報知するためのものである。前記数字表示部９は賞に当選したことを「０」〜「９」の数字によって、また、賞に当選しなかったことを「−」の記号によって、それぞれ表示する。前記画像表示部１０は賞の当選の有無および当選した賞の種別を３個の缶の画像２０Ａ，２０Ｂ，２０Ｃの組み合わせにより表示する。この実施例では、賞として「レギュラーボーナス」と「ビッグボーナス」との２種類の賞が設定されている。
【００１８】
前記始動入賞口１１，１２のいずれかにパチンコ球が入ると、機械内部で上記した２種類の賞に当選可能な抽選処理が実施される。この抽選処理は、発生させた乱数をサンプリングし、その値が所定の範囲にあるかどうかで賞の当選の有無を決定するものである。なお、この種の抽選処理は公知であり、ここでは詳細な説明は省略する。
【００１９】
前記数字表示部９には、「０」〜「９」の数字と「−」の記号とが変動状態で次々に表示された後、賞に当選したときは「０」〜「９」のいずれかの数字が、賞に当選しなかったときは「−」の記号が、それぞれ停止状態で１個表示される。前記画像表示部１０には、３個の缶の画像２０Ａ，２０Ｂ，２０Ｃの組み合わせが変動状態で表示された後、いずれかの画像２０Ａ，２０Ｂ，２０Ｃの組み合わせが停止状態で表示される。数字表示部９および画像表示部１０の各表示動作は連動させるが、遊技者の視線は盤面中央に位置する画像表示部１０の方に向けられる。
【００２０】
前記画像表示部１０において、各缶の画像２０Ａ，２０Ｂ，２０Ｃは、中央の缶の画像２０Ｂが両側の缶の画像２０Ａ，２０Ｃより小さく表示されるが、それぞれの形態は全て同じ円筒状である。各缶の外周面には、図３（１）（２）に示すような１０種類の図柄のいずれかが施されている。各缶の画像２０Ａ，２０Ｂ，２０Ｃは縦方向の中心軸２１を回転中心として軸回転し、１８０度軸回転する毎に、異なる図柄の１０種類の缶が順に出現する。この実施例では、各缶の画像を軸回転させることで缶の画像２０Ａ，２０Ｂ，２０Ｃを変動状態で表示しているが、各缶の画像を上下方向にスクロールすることで缶の画像２０Ａ，２０Ｂ，２０Ｃを変動状態で表示することもできる。
【００２１】
前記各缶の外周面に施されている図柄は、賞の種類毎に分類されている。図３（１）には、「レギュラーボーナス」を成立させる図柄２２（以下、「第１種の図柄」という。）が、図３（２）には、「ビッグボーナス」を成立させる図柄２３（以下、「第２種の図柄」という。）が、それぞれ示されている。
第１種の図柄２２は、缶の外周面の全体に大きく表された偶数の数字の図柄２２ａを含んでいる。第２種の図柄２３は、缶の外周面の全体に大きく表されたキャラクターの図柄２３ｂとキャラクターの図柄２３ｂの右下方位置に小さく表された奇数の数字の図柄２３ａとを含んでいる。なお、第１種の図柄２２はキャラクターの図柄を含んでいない。この実施例では、各缶の画像が１８０度軸回転する毎に、第１種の図柄２２と第２種の図柄２３とが交互に出現する。
【００２２】
また、この実施例では、前記変動状態の表示を開始する当初の時点から、同一形態の缶の画像に、半開きの蓋の画像２４が付加された画像を画像表示部１０に表示する。前記蓋の画像２４は、第１種の図柄２２が施された缶（図３（１））については左開きの状態のものであり、第２種の図柄２３が施された缶（図３（２））については右開きの状態のものである。遊技者は、缶の画像を見て、蓋の態様の差異、すなわち、缶の蓋がいずれに開いているかによって、「レギュラーボーナス」を成立させる缶の画像であるか、「ビッグボーナス」を成立させる缶の画像であるかを直感的かつ即座に判断することができる。
【００２３】
この実施例では、前記変動状態の表示を開始する当初の時点から、蓋の画像２４を缶の画像に付加して表示するので、缶の画像が１８０度回転する毎に蓋が左開き状態になったり右開き状態になったり蓋の態様が交互に変わるが、当初の変動状態の表示の時点では蓋の画像２４は表示させずに、停止状態の表示のときに突如、蓋の画像２４を出現させるようにしてもよい。
なお、この実施例では、賞の種類毎に態様が異なる物体部分の画像として、缶の蓋の画像２４を用いているが、これに限らず、停止状態の表示の時点で缶の中からキャラクタが飛び出すように構成するとともに、賞の種類毎に缶の中から飛び出すキャラクタの画像を変えるように構成してもよい。
どのような実施例であっても、賞の種類毎に態様が異なる物体部分の画像は、主たる画像（この実施例では缶本体の画像）に接するような構成のものが望ましいが、それに限られるものではない。
【００２４】
また、この実施例では、賞の種類毎に分類された図柄が付される物体の画像、すなわち、主たる画像として缶の画像２０Ａ，２０Ｂ，２０Ｃを、また、賞の種類毎に態様が異なる物体部分の画像、すなわち、従の画像として缶の蓋の画像２４を、それぞれ用いているが、これに限らず、主たる画像として帽子本体の画像を、従の画像として帽子の鍔の画像を、それぞれ用い、賞の種類毎に鍔の態様を変えるように構成してもよい。さらに、主たる画像としてティーカップの本体の画像を、従の画像として取っ手の画像を、それぞれ用い、賞の種類毎に取っ手の形状や位置を変えるように構成してもよい。
さらにまた、主たる画像として樽の画像を、従の画像として樽の穴中から流れ出るワインの画像を、それぞれ用い、賞の種類毎にワインの色を変えるように構成してもよい。
【００２５】
前記抽選処理により「レギュラーボーナス」に当選すると、画像表示部１０には、前記変動状態の表示が行われた後、図４（１）に示すように、第１種の図柄２２の中から同じ数字（偶数）の図柄が施された缶の画像２０Ａ，２０Ｂ，２０Ｃが画像表示部１０に停止状態で３個表示される。
また、前記抽選処理により「ビッグボーナス」に当選すると、画像表示部１０には、前記変動状態の表示が行われた後、図４（２）に示すように、第２種の図柄２３の中から同じ数字（奇数）の図柄が施された缶の画像２０Ａ，２０Ｂ，２０Ｃが画像表示部１０に停止状態で３個表示される。
【００２６】
「レギュラーボーナス」や「ビッグボーナス」が成立すると、前記大入賞口１３が開放された状態（以下「大当たり状態」という。）に設定される。この大当たり状態では、大入賞口１３にパチンコ球が次々に入って多量の賞球が得られる。大入賞口１３に所定個数（例えば１０個）のパチンコ球が入るか、または所定個数のパチンコ球が入る前に所定の時間（例えば１０秒）が経過したとき、大入賞口１３が閉じる。「レギュラーボーナス」が成立すると、大当たり状態が２回（２ラウンド）連続して設定される。「ビッグボーナス」が成立すると、大当たり状態が１５回（１５ラウンド）連続して設定される。
【００２７】
図５（１）は、遊技モードが通常のモードのときの画像を、図５（２）は遊技モードが確変モードのときの画像を、それぞれ示している。
ここで「確変モード」とは、上記した２種類の賞のうち、いずれかの賞が成立し、所定のラウンド数の大当たり状態が設定された後に突入する遊技モードであり、次回の賞が成立する確率が高確率に変動する。この「確変モード」は、いずれの賞が成立した場合も、連続して２回発生する。
通常モードでは、図５（１）に示すように、背景が昼間の画像になっている。確変モードでは、図５（２）に示すように、背景が夕方の画像になっている。
【００２８】
図６は、上記したパチンコ機の電気的な構成を示している。
このパチンコ機の制御部は、ゲームの進行を統括制御するための主制御部３０と、表示や音声等の出力を担当する副制御部４０，５０とで構成される。主制御部３０と副制御部３１，３２とは中継基板３５を介して接続される。
【００２９】
前記主制御部３０は、マイクロコンピュータにより構成され、ＣＰＵ３１、ＲＯＭ３２、ＲＡＭ３３などを含んでいる。前記ＲＯＭ３２には、プログラムのほか、賞に関わる抽選処理のための抽選テーブルなどが格納されている。ＲＡＭ３３は、前記抽選処理で賞に当選したときの当選フラグ（当選状態を記憶するためのもの）など、ゲームを進行させるのに必要なデータの読み書きに用いられる。
前記主制御部３０は、図示しない乱数発生器を含み、乱数発生器が発生した乱数をＣＰＵ３１がサンプリングして前記抽選テーブルと照合し、賞の当否を決定する。
【００３０】
図２に示した始動入賞口１１，１２、大入賞口１３、およびゲート１５、さらには、図示していない複数の普通入賞口には、入賞球を検知するためのセンサ１１Ｓ，１２Ｓ，１３Ｓ，１５Ｓ，Ｓ１〜Ｓ４がそれぞれ設けられており、これらのセンサは入出力ポート３４を介して主制御部３０に接続されている。さらに、主制御部３０には、ドライバ回路３６を介して前記数字表示部９が接続されるとともに、下段位置の始動入賞口１２や大入賞口１３を開閉するための駆動部３７，３８が接続されている。なお、始動入賞口駆動部３７は前記ゲート１５をパチンコ球が通過したときなどに駆動して始動入賞口１２を開く。
【００３１】
前記副制御部４０，５０は、マイクロコンピュータにより構成され、ＣＰＵ４１，５１、ＲＯＭ４２，５２、およびＲＡＭ４３，５３をそれぞれ含んでいる。一方の副制御部４０にはドライバ回路４４を介して画像表示部１０が、他方の副制御部５０にはドライバ回路４５を介してスピーカー８や各種の演出ランプ１６が、それぞれ接続されている。
【００３２】
前記副制御部４０のＲＯＭ４２には、前記した図３（１）（２）の１０種類の缶の画像を画像表示部１０に変動状態で次々に表示させたり、停止状態で表示させたりするのに必要な画像データ、さらには、前記変動状態および停止状態で表示する３個の缶の画像に、それぞれ蓋の画像２４を付加した画像を画像表示部１０に表示させるのに必要な画像データなどが記憶されている。
【００３３】
前記副制御部４０のＣＰＵ４１は、ＲＯＭ４２に記憶された画像データによって画像表示部１０に３個の缶の画像に蓋の画像２４を付加した画像を変動状態で次々に表示させた後、主制御部３０のＣＰＵ３１よりいずれかの賞に当選したことを知らせるコマンドを受信したとき、当選した賞の種類に分類されている缶の画像に、当選した賞の種類に応じた蓋の画像２４を付加した画像を画像表示部１０に停止状態で表示する。
【００３４】
図７は、上記した構成のパチンコ機について、主制御部３０のＣＰＵ３１による制御の流れを示している。なお、図中、「ＳＴ」は「ＳＴＥＰ」（ステップ）の略である。
同図のＳＴ１では、ＣＰＵ３１は、始動入賞口１１，１２に入った有効な入賞球が存在しているかどうかを判定している。その判定が「ＹＥＳ」であれば、ＣＰＵ３１はＳＴ２へ進んで抽選処理を実行する。もし賞に当選すれば、ＳＴ３の判定が「ＹＥＳ」であり、ＣＰＵ３１は数字表示器９に「０」〜「９」の数字と「−」の記号とを変動状態で次々に表示させた後、「０」〜「９」のいずれかの数字を停止状態で表示させる（ＳＴ４）。もし、賞に当選していなければ、ＳＴ３の判定が「ＮＯ」であり、「−」の記号を停止状態で表示させた後（ＳＴ５）、ＳＴ１に戻って有効な始動入賞球の有無を判断する。
【００３５】
もし、「ビッグボーナス」に当選していれば、ＳＴ６の判定は「ＹＥＳ」であり、ＣＰＵ３１は、副制御部４０に対して「ビッグボーナス」に当選した旨のコマンドを送る。これにより、副制御部４０のＣＰＵ４１は、画像表示部１０に前記変動状態の表示動作を実行させた後、図３（２）に示す第２種の図柄２３が施された缶の画像の中から同じ奇数の図柄が施された缶の画像２３Ａ，２３Ｂ，２３Ｃを画像表示部１０に停止状態で３個表示させる（ＳＴ７）。その後、主制御部３０のＣＰＵ３１は、ビッグボーナスの大当たり状態、すなわち、大入賞口１３が１５ラウンド分だけ開放する状態に設定する（ＳＴ８）。
【００３６】
もし、前記抽選処理により「レギュラーボーナス」に当選していれば、ＳＴ６の判定は「ＮＯ」であり、副制御部４０に対して「レギュラーボーナス」に当選した旨のコマンドを送る。これにより、副制御部４０のＣＰＵ４１は、画像表示部１０に前記変動状態の表示動作を実行させた後、図３（１）に示す第１種の図柄２２が施された缶の画像の中から同じ偶数の図柄が施された缶の画像２３Ａ，２３Ｂ，２３Ｃを画像表示部１０に停止状態で３個表示させる（ＳＴ１０）。その後、主制御部３０のＣＰＵ３１は、レギュラーボーナスの大当たり状態、すなわち、大入賞口１３が２ラウンド分だけ開放する状態に設定する（ＳＴ１０）。
【００３７】
かくして、設定されたラウンド数だけ大当たり状態が連続して設定され、最後の大当たり状態が終了すると、ＳＴ１１の判定は「ＹＥＳ」となり、ＣＰＵ３０は遊技モードを確変モードに設定する（ＳＴ１３）。この確変モードは２回連続して設定されるもので（ＳＴ１５）、２回目の確変モード下で賞に当選して大当たり状態が終了したときは、ＳＴ１２，１４がともに「ＮＯ」となり、確変モードに設定されることなくＳＴ１に戻る。
【図面の簡単な説明】
【００３８】
【図１】この発明の一実施例であるパチンコ機の全体構成を示す正面図である。
【図２】遊技盤の構成を示す正面図である。
【図３】１０種類の図柄が施された缶の画像を示す正面図である。
【図４】２種類の賞を成立させる缶の画像を示す正面図である。
【図５】通常モード下での画像と確変モード下での画像とを示す正面図である。
【図６】パチンコ機の電気的構成を示すブロック図である。
【図７】主制御部による制御の流れを示すフローチャートである。
【符号の説明】
【００３９】
１０  画像表示部
２０Ａ，２０Ｂ，２０Ｃ  缶の画像
２２  第１種の図柄
２３  第２種の図柄
２４  蓋の画像
３０  主制御部
４０  副制御部
３１，４１  ＣＰＵ
３２，４２  ＲＯＭ
３３，４３  ＲＡＭ
【図１】
2007275499.tif 000003
【図２】
2007275499.tif 000004
【図３】
2007275499.tif 000005
【図４】
2007275499.tif 000006
【図５】
2007275499.tif 000007
【図６】
2007275499.tif 000008
【図７】
2007275499.tif 000009